(57)【要約】【課題】デジタル式の映像出力装置においてクローズドキャプションの表示を可能とすると共に、簡易な操作による字幕とクローズドキャプションの表示切換を実現する。【解決手段】本発明に係る映像出力装置は、コンテンツデータからビデオデータ、オーディオデータ、字幕データ及びクローズドキャプションデータを分離するデマルチプレクサ４と、各データにデコードを施すデコーダ５、６、７、８と、デコードされた各データを受けて、ビデオデータに対して字幕データ及びクローズドキャプションデータの何れか一方のデータを選択的にミキシングして、デジタルビデオ信号として出力するビデオミキサ９と、ユーザーインタフェース部３の操作に応じて、ビデオミキサ９によるミキシングの対象を字幕データとクローズドキャプションデータの間で切り換える制御部２とを具えている。【選択図】図１
2007208443.tif 000002
【特許請求の範囲】
【請求項１】
記録媒体を再生することによって得られるコンテンツデータから、ビデオデータ、オーディオデータ、字幕データ及びクローズドキャプションデータを分離してそれぞれにデコード処理を施す第１データ処理手段と、第１データ処理手段から得られるビデオデータ、字幕データ及びクローズドキャプションデータを受けて、ビデオデータに対して字幕データ及びクローズドキャプションデータの何れか一方のデータを選択的にミキシングして、デジタルビデオ信号として出力する第２データ処理手段と、入力手段からの入力信号を受けて、前記第２データ処理手段によるミキシングの対象を字幕データとクローズドキャプションデータの間で切り換える制御手段とを具えていることを特徴とする映像出力装置。
【請求項２】
前記入力手段は、ユーザーが操作すべき字幕ＯＮ／ＯＦＦキーと字幕切換キーとを具え、前記制御手段は、字幕ＯＮ／ＯＦＦキーの操作に応じて、前記第２データ処理手段による字幕データ及びクローズドキャプションデータのミキシングをオン／オフすると共に、字幕切換キーの操作に応じて、前記第２データ処理手段によるミキシングの対象を字幕データとクローズドキャプションデータの間で切り換える請求項１に記載の映像出力装置。
【請求項３】
前記制御手段は、映像表示画面の隅部に、現在選択されている字幕の種類を表示することが可能であって、該字幕の種類の１つとしてクローズドキャプションが含まれており、字幕切換キーの操作に応じて、字幕の種類がサイクリックに切り換えられる請求項１又は請求項２に記載の映像出力装置。
【発明の詳細な説明】
【技術分野】
【０００１】
本発明は、画面に映像と共に字幕を表示する機能を有する映像出力装置に関するものである。
【背景技術】
【０００２】
従来、光学式のディスクプレーヤによって再生可能な光ディスクに収録されている映像コンテンツは、オーディオ、ビデオ及びサブピクチャーの情報を含んでおり、サブピクチャーは、映画の字幕等の表示に用いられている。
光学式のディスクプレーヤは、映像コンテンツに含まれる字幕の表示をオン／オフする機能と、字幕の種類(日本語、英語等)を切り換える機能とを有しており、入力用に用意されているリモートコントローラーによるキー入力に応じて、映像コンテンツ内の複数の字幕ストリームの切換制御を行なう様になっている。
【０００３】
ところで、聴覚障害者用にコンテンツの内容を文字情報として表示するための放送方式として、クローズドキャプションが規格化されている(特許文献１参照)。
クローズドキャプションデータ(以下、ＣＣデータという)は、映像信号の垂直ブランキング期間のライン２１に重畳されており、映像再生時には、ＣＣデータをデコードして、デコードされたＣＣデータを映像データと共にエンコードして、アナログのビデオ信号としてディスプレイへ出力する。
【０００４】
ＣＣデータは、図６(ａ)に示すデータ構造で光ディスクに記録されている。光ディスクにおいては、２０４８バイトのパックと呼ばれる単位でデータの管理が行なわれ、各パックには、ビデオデータ、オーディデータ、字幕データ及びナビゲーションデータが記録されており、図６(ｂ)の如くビデオパックのデータを抽出することによって、ＭＰＥＧ形式のビデオデータが得られる。ＣＣデータは、字幕パックとして存在している字幕データとは異なり、ＭＰＥＧ形式のビデオデータのユーザーデータ領域に記録されている。
【０００５】
図２は、ＣＣデータが多重化された映像信号が記録されている光ディスクを再生することが可能な従来のアナログ式ディスクプレーヤの構成を示している。
ドライブ部(10)によって再生されるべきディスクには、字幕ストリームとＣＣデータを含む映像ストリームとが記録されており、ドライブ部(10)から得られるコンテンツデータがデマルチプレクサ(13)に供給される。デマルチプレクサ(13)は、ドライブ部(10)から得られるコンテンツデータをオーディオデータ、ビデオデータ、字幕データ、及びＣＣデータに分離して、それぞれオーディオデコーダ(14)、ビデオデコーダ(15)、字幕デコーダ(16)、及びＣＣデコーダ(17)に供給する。
【０００６】
ビデオデコーダ(15)及び字幕デコーダ(16)によってデコーダされたビデオデータ及び字幕データは、ビデオミキサ(18)でミキシングされた後、ビデオエンコーダ(19)に供給されて、ＮＴＳＣ方式のコンポジット映像信号が作成される。又、ＣＣデコーダ(17)でデコードされたＣＣデータは、ビデオエンコーダ(19)に供給されて、前記コンポジット映像信号の垂直ブランキング期間に重畳され、ビデオエンコーダ(19)からはアナログのビデオ信号が出力されることになる。
【０００７】
ドライブ部(10)、デマルチプレクサ(13)、各デコーダ(14)(15)(16)(17)、ビデオミキサ(18)及びビデオエンコーダ(19)の動作は、マイクロコンピュータからなる制御部(11)によって制御されており、ユーザーインタフェース部(12)からの指示に応じて、コンテンツの読み出し、ユーザー入力の処理、各デコーダの設定、制御が行なわれる。
尚、ユーザーインタフェース部(12)は、コンテンツの再生を指示する再生キー、字幕表示のオン／オフを指示する字幕ＯＮ／ＯＦＦキー、字幕の種類を切り換える字幕切換キー等を具えている。
【０００８】
上述のディスクプレーヤによれば、アナログビデオ信号をディスプレイ装置に供給することによって、ディスプレイ装置の画面に、映像と共に字幕若しくはクローズドキャプションを表示することが出来る。
【特許文献１】特開平６−３１１４４６号公報［H04N5/455］
【発明の開示】
【発明が解決しようとする課題】
【０００９】
しかしながら、従来のディスクプレーヤにおいては、字幕をオン／オフするキー操作と、クローズドキャプションをオン／オフするキー操作とが別になっており、クローズドキャプションの表示をオンする際には字幕の表示をオフとする必要があるため、キー操作が煩雑である問題があった。
【００１０】
又、ＣＣデータはコンポジット映像信号に重畳することが前提となっており、デジタルインタフェースを経由してデジタルビデオ信号を出力するデジタル式のディスクプレーヤにおいては、デジタルインタフェースからＣＣデータを含むデジタルビデオ信号を出力することが出来ないため、ディスプレイ装置の画面にクローズドキャンプションを表示することが出来ない問題があった。
【００１１】
そこで本発明の目的は、デジタルインタフェースを経由してデジタルビデオ信号を出力するデジタル式の映像出力装置においてクローズドキャプションの表示を可能とすると共に、簡易な操作による字幕とクローズドキャプションの表示切換を実現することである。
【課題を解決するための手段】
【００１２】
本発明に係る映像出力装置は、記録媒体を再生することによって得られるコンテンツデータから、ビデオデータ、オーディオデータ、字幕データ及びＣＣデータを分離してそれぞれにデコード処理を施す第１データ処理手段と、第１データ処理手段から得られるビデオデータ、字幕データ及びＣＣデータを受けて、ビデオデータに対して字幕データ及びＣＣデータの何れか一方のデータを選択的にミキシングして、デジタルビデオ信号として出力する第２データ処理手段と、入力手段からの入力信号を受けて、前記第２データ処理手段によるミキシングの対象を字幕データとＣＣデータの間で切り換える制御手段とを具えている。
【００１３】
本発明に係る映像出力装置においては、デコードされたビデオデータに対して、それぞれデコードされた字幕データ及びＣＣデータの何れか一方のデータが選択的にミキシングされて、映像の中に字幕が取り込まれた表示画面と、映像の中にクローズドキャプションが取り込まれた表示画面とが、入力信号に応じて切り換えられることになる。
【００１４】
具体的構成において、本発明に係る映像出力装置は、前記入力手段としてユーザーが操作すべき字幕ＯＮ／ＯＦＦキーと字幕切換キーとを具え、前記制御手段は、字幕ＯＮ／ＯＦＦキーの操作に応じて、前記第２データ処理手段による字幕データ及びＣＣデータのミキシングをオン／オフすると共に、字幕切換キーの操作に応じて、前記第２データ処理手段によるミキシングの対象を字幕データとＣＣデータの間で切り換える。
【００１５】
該具体的構成によれば、字幕ＯＮ／ＯＦＦキーをオンとして字幕表示モードの状態で、字幕切換キーを操作することによって、映像の中に字幕が取り込まれた表示画面と、映像の中にクローズドキャプションが取り込まれた表示画面の間で、切換が行なわれることになる。
【発明の効果】
【００１６】
本発明に係る映像出力装置によれば、デジタルインタフェースから字幕データ又はＣＣデータを含むデジタルビデオ信号を出力することにより、ディスプレイ装置の画面に字幕の表示とクローズドキャプションの表示が可能であり、然も、字幕表示とクローズドキャプション表示を容易に切り換えることが出来る。
【発明を実施するための最良の形態】
【００１７】
以下、本発明をデジタル式のディスクプレーヤに実施した形態につき、図面に沿って具体的に説明する。
本発明に係るディスクプレーヤは、字幕ストリームとＣＣデータを含む映像ストリームとが記録されている光ディスクから信号を再生して、オーディオ信号とデジタルビデオ信号を出力するものであって、図１に示す如く、ディスクから記録信号を読み出すドライブ部(１)を具えている。
【００１８】
ドライブ部(１)から得られるコンテンツデータは、デマルチプレクサ(４)に供給されて、オーディオデータ、ビデオデータ、字幕データ、及びＣＣデータに分離され、これらのデータはそれぞれ、オーディオデコーダ(５)、ビデオデコーダ(６)、字幕デコーダ(７)、及びＣＣデコーダ(８)に供給される。
【００１９】
ビデオデコーダ(６)、字幕デコーダ(７)及びＣＣデコーダ(８)によってデコーダされたビデオデータ、字幕データ及びＣＣデータは、ビデオミキサ(９)に供給され、ビデオミキサ(９)にて、ビデオデータに字幕データ又はＣＣデータが選択的にミキシングされて、デジタルのビデオ信号として出力される。
【００２０】
ドライブ部(１)、デマルチプレクサ(４)、各デコーダ(５)(６)(７)(８)、及びビデオミキサ(９)の動作は、マイクロコンピュータからなる制御部(２)によって制御されており、ユーザーインタフェース部(３)からの指示に応じて、コンテンツの読み出し、ユーザー入力の処理、各デコーダの設定、制御が行なわれる。
尚、ユーザーインタフェース部(３)は、コンテンツの再生を指示する再生キー、字幕表示のオン／オフを指示する字幕ＯＮ／ＯＦＦキー、字幕の種類を切り換える字幕切換キー、クローズドキャプション表示を優先して行なうためのＣＣキー等を具えている。
【００２１】
図３は、前記制御部(２)による表示制御の手続きを表わしている。
先ずステップＳ１では、ユーザーによって予め設定されている字幕表示状態(字幕設定)を読み込み、ステップＳ２では、ユーザー操作によってコンテンツ再生の通知が為されたか否かの判断を繰り返す。
【００２２】
ユーザー操作によってコンテンツ再生の通知が為され、ステップＳ２にてイエスと判断されたときは、ステップＳ３に移行して、再生コンテンツに含まれる字幕ストリームの数(具体的には字幕の言語数)を取得した後、ステップＳ４にて、コンテンツ再生を開始する。
【００２３】
次にステップＳ５では、現在の字幕表示の設定がオン(ＯＮ)となっているか否かを判断し、ここでノーと判断されたときは、ステップＳ６にて字幕及びクローズドキャプションを表示することなく、ステップＳ５に戻って同じ判断を繰り返す。
現在の字幕表示の設定がオン(ＯＮ)となっており、ステップＳ５にてイエスと判断されたときは、ステップＳ７に移行して、コンテンツに字幕ストリームが存在するか否かを判断し、ここでノーと判断されたときは、ステップＳ８にてクローズドキャプションを表示した後、ステップＳ５に戻って同じ判断を繰り返す。
【００２４】
コンテンツに字幕ストリームが存在しており、ステップＳ７にてイエスと判断されたときは、ステップＳ９に移行して、ユーザー操作によって字幕ストリームの変更通知が為されたか否かを判断し、ここでノーと判断されたときは、ステップＳ１０にて、現在設定している字幕若しくはクローズドキャプションを表示した後、ステップＳ５に戻って同じ判断を繰り返す。
ユーザー操作によって字幕ストリームの変更通知が為され、ステップＳ９にてイエスと判断されたときは、ステップＳ１１に移行して、現在設定している字幕が最終の字幕ストリームのものであるか否かを判断し、ここでイエスと判断されたときは、ステップＳ１２にて、クローズドキャプションを表示した後、ステップＳ５に戻って同じ判断を繰り返す。
【００２５】
現在設定している字幕が最終の字幕ストリームのものでなく、ステップＳ１１にてノーと判断されたときは、ステップＳ１３に移行して、現在選択されている字幕がクローズドキャプションであるか否かを判断し、ここでノーと判断されたときは、ステップＳ１４に移行して、次の字幕ストリームを選択して当該字幕を表示した後、ステップＳ５に戻って同じ判断を繰り返す。
現在選択されている字幕がクローズドキャプションであって、ステップＳ１３にてイエスと判断されたときは、ステップＳ１５に移行して、ストリーム番号が１の字幕ストリームを選択して当該字幕を表示した後、ステップＳ５に戻って同じ判断を繰り返す。
【００２６】
上記手続きによれば、例えば、字幕ストリーム数が２で、ストリーム１が日本語、ストリーム２が英語であるコンテンツの画面表示例においては、図４(ａ)(ｂ)(ｃ)及び図５(ａ)(ｂ)に示す様に、画面の左上隅部に、字幕のＯＮ／ＯＦＦ、或いは現在の字幕番号／総字幕数、並びに字幕の種類(クローズドキャプション、日本語、英語)が表示される
尚、この例では字幕ストリーム数は２であるが、クローズドキャプションも字幕の１種として扱われるので、総字幕数は３となっている。
【００２７】
図３のステップＳ５において字幕表示がＯＦＦの場合、図３のステップＳ６により、図４(ａ)の如く画面には「字幕ＯＦＦ」が表示され、字幕及びクローズドキャプションについての情報は表示されない。
字幕表示がＯＮであって、図３のステップＳ９において字幕変更通知を受けた場合、現在選択中の字幕の種類に応じて、次に表示すべき字幕が決定される。例えば、字幕ストリーム２(英語)を選択している場合は、図３のステップＳ１２により、図４(ｃ)の如く、画面はクローズドキャプションの表示となる。
【００２８】
現在クローズドキャプションを選択しているときは、図３のステップＳ１５により、字幕ストリーム１(日本語)が選択され、図５(ａ)の如く画面には日本語の字幕が表示される。
又、現在字幕ストリーム１(日本語)を選択している場合は、図３のステップＳ１４により、字幕ストリーム２(英語)が選択され、図５(ｂ)の如く画面には英語の字幕が表示される。
尚、字幕表示がＯＮである場合において、字幕ストリームが存在しないときは、総字幕数は１となり、図３のステップＳ８により、図４(ｂ)の如く画面は常にクローズドキャプションの表示となる。
又、クローズドキャプション表示を優先して行なうためのＣＣキーを操作すれば、現在の字幕ストリーム番号に拘わらず、聴覚障害者用に画面は常にクローズドキャプションの表示となる。従って、聴覚障害者は煩わしい操作を行なうことなく、クローズドキャプションを表示することが出来る。
【００２９】
上述の如く、本発明に係るディスクプレーヤにおいては、字幕とクローズドキャプションの切換を同じ字幕切換キーの操作によって行なうことが出来、然も、字幕表示の切換サイクルにクローズドキャプションの表示が含まれるので、字幕とクローズドキャプションの切換に必要なユーザー操作は極めて簡易である。
【図面の簡単な説明】
【００３０】
【図１】本発明に係るディスクプレーヤの構成を示すブロック図である。
【図２】従来のディスクプレーヤの構成を示すブロック図である。
【図３】本発明に係るディスクプレーヤにおける制御手続きを示すフローチャートである。
【図４】字幕表示の切換例を表わす図である。
【図５】字幕表示の他の切換例を表わす図である。
【図６】光ディスクに記録されているデータの構造とＭＰＥＧ形式のビデオデータの構造を説明する図である。
【符号の説明】
【００３１】
(１)  ドライブ部
(２)  制御部
(３)  ユーザーインタフェース部
(４)  デマルチプレクサ
(５)  オーディオデコーダ
(６)  ビデオデコーダ
(７)  字幕デコーダ
(８)  クローズドキャプションデコーダ
(９)  ビデオミキサ
【図１】
2007208443.tif 000003
【図２】
2007208443.tif 000004
【図３】
2007208443.tif 000005
【図４】
2007208443.tif 000006
【図５】
2007208443.tif 000007
【図６】
2007208443.tif 000008